(57)【要約】【課題】従来よりも快適な睡眠環境をユーザに提供する。【解決手段】空調システム（１００）において、携帯端末（１０）および空気調和機（３０）は、通信ネットワーク（９０）を介して、クラウドサーバ（２０）に接続されている。携帯端末（１０）のモード設定部（１４）が、空気調和機（３０）の運転モードを睡眠準備モードに切り替えた場合、クラウドサーバ（２０）の空調制御部（２４）は、空気調和機（３０）を睡眠準備モードで動作させる第１指令を当該空気調和機（３０）に与え、空気調和機（３０）の周辺機器制御部（３４）は、第１指令に応じた第２指令を、周辺機器（４０）に与える。【選択図】図２
2018035957.tif 000002
【特許請求の範囲】
【請求項１】
室内の空調を行う空気調和機と、
上記室内に設けられた周辺機器と、
端末装置と、
通信ネットワークを介して、上記空気調和機および上記端末装置に接続されたサーバ装置と、を備えた空調システムであって、
上記サーバ装置は、上記空気調和機を制御する空調制御部を備えており、
上記空気調和機は、上記周辺機器を制御する周辺機器制御部を備えており、
上記端末装置は、上記空気調和機の運転モードを切り替えるモード設定部を備えており、
上記運転モードには、ユーザの入眠に適した室内環境を提供するモードである睡眠準備モードが含まれており、
上記モード設定部が、上記運転モードを上記睡眠準備モードに切り替えた場合、
上記空調制御部は、上記空気調和機を上記睡眠準備モードで動作させる第１指令を上記空気調和機に与え、
上記周辺機器制御部は、上記第１指令に応じた第２指令を、上記周辺機器に与えることを特徴とする空調システム。
【請求項２】
上記空気調和機は、上記室内に上記ユーザが存在していることを検出するセンサをさらに備えており、
上記睡眠準備モードにおいて、
上記空調制御部は、上記センサの検出結果に応じて、上記第１指令の内容を変更することを特徴とする請求項１に記載の空調システム。
【請求項３】
上記運転モードには、上記ユーザの睡眠時に適した室内環境を提供するモードである睡眠モードがさらに含まれており、
上記モード設定部が、上記運転モードを上記睡眠モードに切り替えた場合、
上記空調制御部は、上記睡眠モードの開始時刻と、あらかじめ設定された上記ユーザの起床予定時刻とを基準として、当該睡眠モードにおける上記室内の温度を変化させることを特徴とする請求項１または２に記載の空調システム。
【請求項４】
上記睡眠準備モードを開始させるための、上記ユーザの上記端末装置に対する入力操作を第１操作として、
上記モード設定部は、上記第１操作が施された時刻である第１操作時刻に対する統計処理を行うことにより、上記運転モードを上記睡眠準備モードに切り替える時刻である第１時刻を設定することを特徴とする請求項１から３のいずれか１項に記載の空調システム。
【請求項５】
上記第１操作時刻が上記第１時刻よりも早い場合には、
上記モード設定部は、上記第１操作時刻が上記第１時刻よりも遅い場合に比べて、上記第１操作時刻の統計処理上の重みを大きくすることを特徴とする請求項４に記載の空調システム。
【請求項６】
上記運転モードには、上記ユーザの睡眠時に適した室内環境を提供するモードである睡眠モードがさらに含まれており、
上記睡眠モードを開始させるための、上記ユーザの上記端末装置に対する入力操作を第２操作として、
上記モード設定部は、上記第２操作が施された時刻である第２操作時刻に対する統計処理を行うことにより、上記運転モードを上記睡眠モードに切り替える時刻である第２時刻を設定することを特徴とする請求項１から５のいずれか１項に記載の空調システム。
【請求項７】
サーバ装置が、室内の空調を行う空気調和機に、所定の運転モードに応じた動作を行わせ、上記空気調和機が、上記室内に設けられた周辺機器の動作を制御するように構成された空調システムと連携する端末装置であって、
少なくとも画像を表示する表示部と、
上記空気調和機の上記運転モードを設定するモード設定部と、
上記サーバ装置と通信する通信部とを備え、
上記空気調和機の運転モードには、ユーザの入眠に適した室内環境を提供するように、上記空気調和機および上記周辺機器の各動作を設定するモードである睡眠準備モードが含まれており、
上記モード設定部は、上記運転モードをユーザが設定するための運転モード設定画面を上記表示部に表示するときに、上記睡眠準備モードを設定するためのボタンを表示することを特徴とする端末装置。
【発明の詳細な説明】
【技術分野】
【０００１】
本発明は、空調システム等に関する。
【背景技術】
【０００２】
従来から、家電機器（特に空気調和機）の分野において、ユーザに快適な環境を提供するための様々な技術が提案されている。例えば、ユーザに快適な睡眠環境を提供するために、各種の家電機器の動作を制御する技術が提案されている。
【０００３】
一例として、特許文献１には、ユーザの睡眠時の快適性向上を目的として、ユーザの睡眠時に温度制御を行う空気調和機が開示されている。
【０００４】
また、特許文献２には、室内環境の快適性を向上させるために、空気調和機の運転に連携して、照明装置の照度または色調の少なくとも一方を制御する家電制御システムが開示されている。
【０００５】
また、特許文献３には、ユーザ（就寝者）の寝床の周囲に設置される就寝用指向性光源および音源供給装置が開示されている。特許文献３の各装置は、ユーザに快適な寝入り、熟睡、目覚めをもたらすことを目的としている。
【０００６】
また、特許文献４には、時間によって変化するユーザの生体情報に応じて、室内環境制御機器を制御する室内環境制御システムが開示されている。
【先行技術文献】
【特許文献】
【０００７】
【特許文献１】特開２００７−１９２４５０号公報（２００７年８月２日公開）
【特許文献２】特開２０１４−２１６８３５号公報（２０１４年１１月１７日公開）
【特許文献３】特開２０１５−２７３２９号公報（２０１５年２月１２日公開）
【特許文献４】特開２０１３−２１３６４２号公報（２０１３年１０月１７日公開）
【発明の概要】
【発明が解決しようとする課題】
【０００８】
しかしながら、ユーザにより快適な睡眠環境を提供するための、空気調和機および周辺機器の連携方法には、なお改善の余地が残されている。本発明の目的は、従来よりも快適な睡眠環境をユーザに提供することが可能な空調システム等を実現することである。
【課題を解決するための手段】
【０００９】
上記の課題を解決するために、本発明の一態様に係る空調システムは、室内の空調を行う空気調和機と、上記室内に設けられた周辺機器と、端末装置と、通信ネットワークを介して、上記空気調和機および上記端末装置に接続されたサーバ装置と、を備えた空調システムであって、上記サーバ装置は、上記空気調和機を制御する空調制御部を備えており、上記空気調和機は、上記周辺機器を制御する周辺機器制御部を備えており、上記端末装置は、上記空気調和機の運転モードを切り替えるモード設定部を備えており、上記運転モードには、ユーザの入眠に適した室内環境を提供するモードである睡眠準備モードが含まれており、上記モード設定部が、上記運転モードを上記睡眠準備モードに切り替えた場合、上記空調制御部は、上記空気調和機を上記睡眠準備モードで動作させる第１指令を上記空気調和機に与え、上記周辺機器制御部は、上記第１指令に応じた第２指令を、上記周辺機器に与える。
【００１０】
上記の課題を解決するために、本発明の一態様に係る端末装置は、サーバ装置が、室内の空調を行う空気調和機に、所定の運転モードに応じた動作を行わせ、上記空気調和機が、上記室内に設けられた周辺機器の動作を制御するように構成された空調システムと連携する端末装置であって、少なくとも画像を表示する表示部と、上記空気調和機の上記運転モードを設定するモード設定部と、上記サーバ装置と通信する通信部とを備え、上記空気調和機の運転モードには、ユーザの入眠に適した室内環境を提供するように、上記空気調和機および上記周辺機器の各動作を設定するモードである睡眠準備モードが含まれており、上記モード設定部は、上記運転モードをユーザが設定するための運転モード設定画面を上記表示部に表示するときに、上記睡眠準備モードを設定するためのボタンを表示する。
【発明の効果】
【００１１】
本発明の一態様に係る空調システムによれば、従来よりも快適な睡眠環境をユーザに提供することが可能となるという効果を奏する。
【００１２】
また、本発明の一態様に係る端末装置によっても、同様の効果を奏する。
【図面の簡単な説明】
【００１３】
【図１】本発明の実施形態１に係る空調システムの概要を示す図である。
【図２】図１の空調システムの要部の構成を示す機能ブロック図である。
【図３】図１の空調システムの携帯端末において、快眠アプリが立ち上げられる前に、表示部に表示された画面の一例を示す図である。
【図４】図１の空調システムの携帯端末において、快眠アプリが立ち上げられた後に、表示部に表示された画面の一例を示す図である。
【図５】図１の空調システムの携帯端末における快眠アプリの実行中に、ユーザの選択に応じて表示部に表示された画面の一例を示す図である。
【図６】図１の空調システムにおける、空気調和機の気流パネルから室内へ吹き出す風の向きのバリエーションを示す図である。
【図７】図１の空調システムにおける、睡眠準備から起床までの処理の流れを例示するシーケンス図である。
【図８】図１の空調システムにおける、睡眠モードでの空気調和機の設定温度の時間変化の予定を示すタイムチャートを例示する図である。
【図９】本発明の実施形態２に係る空調システムの要部の構成を示す機能ブロック図である。
【発明を実施するための形態】
【００１４】
〔実施形態１〕
以下、本発明の実施形態１について、図１〜図８に基づいて詳細に説明する。図１は、本実施形態の空調システム１００の概要を示す図である。はじめに、図１を参照し、空調システム１００の概要について述べる。
【００１５】
（空調システム１００の概要）
空調システム１００は、携帯端末１０（端末装置）、クラウドサーバ２０（サーバ装置）、空気調和機３０、および周辺機器４０を備えている。なお、空気調和機３０および周辺機器４０は、ユーザの家屋の同一の室内に設けられている。以下、空気調和機３０および周辺機器４０が、寝室に設けられている場合を例示して説明を行う。
【００１６】
以下に述べるように、空調システム１００では、携帯端末１０は、空気調和機３０の運転モードを切り替えるモード切替指令を、クラウドサーバ２０に与える。そして、当該運転モードが所定の運転モード（例：後述する睡眠準備モードまたは睡眠モード）に切り替えられた場合、（ｉ）クラウドサーバ２０は、空気調和機３０に第１指令を与えるとともに、（ｉｉ）空気調和機３０は、当該第１指令に応じた第２指令を、周辺機器４０に与える。
【００１７】
なお、本実施形態の携帯端末１０（端末装置の一具体例）は、例えばスマートフォン（携帯電話機）である。但し、本発明の一態様に係る端末装置は、携帯電話機に限定されない。当該端末装置は、ユーザが空気調和機３０を遠隔操作するためのリモコンであってもよいし、ノートＰＣ（Personal Computer）またはタブレットＰＣなどの可搬型の情報処理装置であってもよい。
【００１８】
クラウドサーバ２０は、（ｉ）通信ネットワーク９０ａを介して携帯端末１０と、（ｉｉ）通信ネットワーク９０ｂを介して空気調和機３０と、それぞれ接続されている。このため、携帯端末１０は、クラウドサーバ２０を介して、空気調和機３０を操作する（より具体的には、空気調和機３０の運転モードを変更する）ことが可能である。
【００１９】
通信ネットワーク９０ａ・９０ｂは、総称的に通信ネットワーク９０と称されてもよい。通信ネットワーク９０には、公知の通信技術（例：無線ＬＡＮ技術）が利用されてよい。
【００２０】
なお、携帯端末１０には、クラウドサーバ２０を介して空気調和機３０を操作するためのアプリケーション（以降、「快眠アプリ」と称する）が、あらかじめインストールされている。
【００２１】
携帯端末１０において、モード設定部１４（後述）は、空気調和機３０の運転モードをユーザに設定（選択）させるための運転モード設定画面（快眠アプリの画面）を、表示部１１ａ（後述）に表示させる。加えて、モード設定部１４は、快眠アプリの画面において、ユーザが動作モードを設定するための各種のボタン（入力用画像）を、表示部１１ａに表示させる。
【００２２】
また、クラウドサーバ２０には、携帯端末１０からのモード切替指令に応じて、空気調和機３０を制御するためのプログラム（以降、「快眠プログラム」と称する）がインストールされている。
【００２３】
空気調和機３０は、室内（例：寝室）の空調を行う装置であり、例えばエアコンである。空気調和機３０には、クラウドサーバ２０と通信を行うために、家電アダプタ（不図示）があらかじめ取り付けられている。なお、空気調和機３０と家電アダプタとが一体化された構成であってもよい。
【００２４】
また、空気調和機３０は、赤外線センサ３５（センサ）を備えている。赤外線センサ３５は、空気調和機の筐体の前面に配置されてよい。以下に述べるように、赤外線センサ３５は、寝室にユーザが存在していることを検出する人感センサとして機能する。但し、本発明の一態様に係るセンサは、赤外線センサに限定されない。当該センサは、人感センサとしての機能を有するものであればよい。
【００２５】
周辺機器４０は、寝室（空気調和機３０と同じ室内）に設けられた各種の家電機器である。図１では、周辺機器４０の一構成要素として、照明装置４１が示されている。後述の図２に示されるように、本実施形態では、周辺機器４０が、照明装置４１、テレビ４２（音響装置）、およびアロマ発生器４３（匂い発生器）を含む場合を例示して説明を行う。但し、照明装置４１〜アロマ発生器４３は周辺機器４０の一例であり、当該周辺機器４０はこれらに限定されず、睡眠環境作りに関わる機器であればよい。
【００２６】
周辺機器４０には、空気調和機３０と通信を行うために、家電アダプタ（不図示）があらかじめ取り付けられていてよい。なお、周辺機器４０と家電アダプタとが一体化された構成であってもよい。
【００２７】
ところで、一部の家電機器（特に照明装置４１およびテレビ４２）は、赤外線リモコンによって操作可能であるように構成されてよい。この点を踏まえ、空気調和機３０と周辺機器４０とは、公知の赤外線通信技術を用いて通信を行うように構成されてもよい。
【００２８】
この場合、周辺機器４０は、赤外線通信によって空気調和機３０から第２指令を取得できる。それゆえ、周辺機器４０において、空気調和機３０と通信を行うための家電アダプタが不要となる。このように、周辺機器４０が赤外線リモコンによって操作可能な家電機器であれば、当該周辺機器４０に家電アダプタを設けなくともよい。
【００２９】
以下に述べるように、周辺機器４０は、空気調和機３０を介して、クラウドサーバ２０によって間接的に制御される。周辺機器４０と空気調和機３０とは、例えば家屋内の無線ＬＡＮネットワークを介して通信可能である。
【００３０】
（空調システム１００の構成）
図２は、空調システム１００の要部の構成を示す機能ブロック図である。以下、空調システム１００における各部材の構成についてより詳細に説明する。
【００３１】
携帯端末１０は、タッチパネル１１、制御部１２、通信部１５、生体センサ１６、および記憶部１７を備える。タッチパネル１１は、（ｉ）少なくとも画像を表示する表示部１１ａと、（ｉｉ）ユーザの入力（操作）を受け付ける入力部１１ｂとが、重畳され一体化された部材である。ユーザは、タッチパネル１１（快眠アプリの画面）に表示された各ボタンをタッチすることで、空気調和機３０を操作できる（後述の図４を参照）。
【００３２】
但し、本発明の一態様に係る携帯端末において、表示部１１ａと入力部１１ｂとは、別体の部材として設けられてもよい。この場合、入力部１１ｂは、例えばハードキーであってもよい。この場合、ユーザは、入力部１１ｂを操作することで、快眠アプリの画面に表示されたボタンに対する入力を行えばよい。
【００３３】
図３は、携帯端末１０において、快眠アプリが立ち上げられる前に、表示部１１ａに表示された画面の一例を示す図である。図３に示されるように、表示部１１ａには、携帯端末１０にインストールされた各種のアプリを立ち上げるためのボタン（アイコン）が表示されている。図３において、ボタンＩは、快眠アプリを立ち上げるためのアイコンである。ユーザは、タッチパネル１１上のボタンＩをタッチすることにより、快眠アプリを立ち上げることができる。
【００３４】
図４は、携帯端末１０において、快眠アプリが立ち上げられた後に、表示部１１ａに表示された画面（快眠アプリの画面）の一例を示す図である。図４に示されるように、快眠アプリの画面には、空気調和機３０の運転モードをユーザに設定させるための各種のボタンが表示されている。このように、快眠アプリは、運転モード設定画面（空気調和機３０の運転モードをユーザに設定させるための画面）をユーザに提供する。
【００３５】
なお、図４において、ボタンＪ１は、後述する「睡眠準備モード」の開始、および当該睡眠準備モードの設定を行うためのボタンである。このボタンＪ１は、「おやすみ準備」ボタンとも称される。また、ボタンＪ２は、後述する「睡眠モード」の開始、および当該睡眠モードの設定を行うためのボタンである。このボタンＪ２は、「おやすみ」ボタンとも称される。
【００３６】
また、ボタンＪ３は、目覚ましアラームの設定時刻（起床予定時刻）の設定を行うためのボタンである。また、ボタンＪ４は、睡眠準備モードまたは睡眠モードを途中で終了させるためのボタンである。このボタンＪ４は、「停止」ボタンとも称される。
【００３７】
制御部１２は、携帯端末１０の各部を統括的に制御する。制御部１２の機能は、記憶部１７に記憶されたプログラムを、ＣＰＵ（Central Processing Unit）が実行することで実現されてよい。記憶部１７は、制御部１２が実行する各種のプログラム（例：上述の睡眠アプリ）、および当該プログラムによって使用されるデータを格納する。
【００３８】
通信部１５は、携帯端末１０が外部装置との通信を行うための通信インターフェースである。通信部１５は、通信ネットワーク９０ａを介して、クラウドサーバ２０の通信部２５（後述）と通信を行うことができる。
【００３９】
生体センサ１６は、ユーザの生体情報を取得（検出）するセンサである。本実施形態では、生体センサ１６が加速度センサおよび温度センサを含む場合を例示して説明を行う。なお、生体センサ１６は、ユーザに接触せずに生体情報を取得する非接触式センサであってもよいし、当該ユーザに接触して生体情報を取得する接触式センサであってもよい。
【００４０】
図５（後述）に示すグラフ（睡眠曲線）のように、一般的に、ユーザの眠りが深い場合（ノンレム睡眠の場合）には、寝返りを打つ可能性が少なくなるため、当該ユーザの加速度の変化（換言すれば、変位の量）が少なくなる。他方、ユーザの眠りが浅い場合（レム睡眠の場合）には、寝返りを打つ可能性が高くなるため、当該ユーザの加速度の変化が大きくなる。
【００４１】
従って、加速度センサによって検出されたユーザの加速度は、当該ユーザの眠りの深さを示す生体情報として利用可能である。また、生体センサ１６が取得した生体情報は、クラウドサーバ２０の制御部２１（後述）に与えられる。制御部２１は、生体情報（例：ユーザの加速度）に基づいて、ユーザの眠りの深さを判定できる。なお、制御部２１は、日ごとに取得した生体情報の履歴に基づいて、ユーザの眠りの深さの時間的な変化を示す上記グラフ（睡眠曲線）を生成することもできる。
【００４２】
また、ユーザがノンレム睡眠の状態にある場合、当該ユーザの体温は、レム睡眠の場合に比べて低くなる。従って、温度センサによって検出されたユーザの体温もまた、当該ユーザの眠りの深さを示す生体情報として利用可能である。なお、制御部２１は、日ごとに取得したユーザの体温の履歴に基づいて、ユーザの睡眠時における体温の時間的な変化を示すグラフ（体温曲線）を生成することもできる。
【００４３】
また、ユーザの脈拍、血圧、および発汗量等を、生体情報として用いてもよい。あるいは、ユーザの体液（例：血液または唾液）中の所定の物質（例：メラトニン、成長ホルモン、コルチゾール）の含有率を、生体情報として用いてもよい。つまり、生体センサ１６は、所定の態様の生体情報を取得できればよい。従って、生体センサ１６に含まれるセンサの種類は特に限定されない。
【００４４】
図５は、携帯端末１０における快眠アプリの実行中に、ユーザの選択に応じて、表示部１１ａに表示された画面の一例を示す図である。図５に示されるように、快眠アプリの一画面には、上述の睡眠曲線および体温曲線を示す画像ＩＭＧ１が表示されている。ユーザは、画像ＩＭＧ１の各曲線を確認することによって、自身の日々の睡眠状態を容易に認識できる。
【００４５】
なお、画像ＩＭＧ１には、例えばユーザの発汗量の時間変化を示すグラフをさらに含めてもよい。また、画像ＩＭＧ１には、ユーザの体液中の上記所定の物質の含有率の時間変化を示すグラフをさらに含めてもよい。これにより、ユーザに、より多面的な観点から、自身の日々の睡眠状態を認識させることが可能となる。
【００４６】
また、快眠アプリの一画面には、（ｉ）空気調和機３０の設定温度を示す画像ＩＭＧ２と、（ｉｉ）目覚ましアラームの設定時刻（起床予定時刻）を示す画像ＩＭＧ３とが表示されている。また、画像ＩＭＧ２およびＩＭＧ３には、設定温度および設定時刻のそれぞれをユーザが変更するためのボタン（上下ボタン）が含まれている。なお、起床予定時刻は、ユーザの事前の操作によって、快眠アプリ上においてあらかじめ設定されている。
【００４７】
そして、上述の図２に示されるように、制御部１２は、表示制御部１３およびモード設定部１４を備えている。表示制御部１３は、表示部１１ａに表示される画像の表示制御を行う。なお、モード設定部１４に、表示制御部１３の機能を併有させてもよい。
【００４８】
モード設定部１４は、空気調和機３０の運転モードを切り替える指令（モード切替指令）を、クラウドサーバ２０に与える。モード切替指令は、通信部１５・２５を介して、モード設定部１４からクラウドサーバ２０の空調制御部２４（後述）に与えられる。
【００４９】
なお、本実施形態において、空気調和機３０の運転モードには、公知の運転モード（例：自動運転モード）に加えて、「睡眠準備モード」および「睡眠モード」の少なくとも２つがさらに含まれている。
【００５０】
なお、自動運転モードには、各種の環境情報（例：室温、外気温、季節変化、日差しの変化）に基づいて、空気調和機３０が自身の動作モード（例：冷房運転、暖房運転）または設定温度等を自動的に設定して運転を行うモードが含まれていてよい。
【００５１】
睡眠準備モードは、ユーザの入眠に適した室内環境を提供するモードである。また、睡眠モードは、ユーザの睡眠時に適した室内環境を提供するモードである。これら２つのモードにおける空気調和機３０の動作の具体例については、後に詳細に述べる。なお、睡眠準備モードおよび睡眠モードとの区別のため、その他の運転モードを、通常運転モードと便宜的に称する。
【００５２】
クラウドサーバ２０は、制御部２１、通信部２５、および記憶部２６を備えている。制御部２１は、クラウドサーバ２０の各部を統括的に制御する。制御部２１の機能は、記憶部２６に記憶されたプログラムを、ＣＰＵが実行することで実現されてよい。なお、制御部２１はクラウドサーバ２０に設けられているため、上述の制御部１２および後述のマイコン３１に比べて、高性能な情報処理機能を有していることが一般的である。
【００５３】
記憶部２６は、制御部２１が実行する各種のプログラム（例：上述の睡眠プログラム）、および当該プログラムによって使用されるデータを格納する。通信部２５は、クラウドサーバ２０が外部装置との通信を行うための通信インターフェースである。通信部２５は、通信ネットワーク９０ｂを介して、空気調和機３０の通信部３６（後述）と通信を行うことができる。
【００５４】
また、制御部２１は、空調制御部２４を備えている。空調制御部２４は、空気調和機３０の動作を制御する。具体的には、空調制御部２４は、上述のモード切替指令において指定された空気調和機３０の運転モードによって、当該空気調和機３０を動作させるように、当該空気調和機３０に運転モードを切り替える指令を与える。以降、空調制御部２４から空気調和機３０への運転モード切替の指令を、第１指令と称する。一例として、第１指令は、空気調和機３０を睡眠準備モードまたは睡眠モードで動作させる指令である。
【００５５】
空気調和機３０は、マイコン（マイクロコンピュータ）３１、赤外線センサ３５、および通信部３６を備えている。マイコン３１は、空気調和機３０の各部を統括的に制御する。通信部３６は、空気調和機３０が外部装置との通信を行うための通信インターフェースである。空気調和機３０と周辺機器４０との通信は、通信部３６を介して行われる。
【００５６】
また、マイコン３１は、周辺機器制御部３４を備えている。周辺機器制御部３４は、周辺機器４０の動作を制御する。具体的には、周辺機器制御部３４は、上述の第１指令に応じた指令（以降、第２指令と称する）を周辺機器４０へ与える。周辺機器４０に第２指令を与えることにより、空気調和機３０の運転モード（例；睡眠準備モード）に応じた動作を、当該周辺機器４０に行わせることが可能となる。
【００５７】
なお、マイコン３１は比較的簡単な構成の情報処理装置である。このため、マイコン３１の情報処理性能は、上述の制御部２１に比べて低いことが一般的である。
【００５８】
また、図６は、空気調和機３０の気流パネルから室内へ吹き出す風の向きのバリエーションを示す図である。図６に示されるように、空気調和機３０は、風向１〜６の６通りの風向きで、室内へと風を送出できる。なお、風向１は最も上方向（床から天井を見た方向）の風向きであり、風向６は最も下方向（天井から床を見た方向）の風向きである。風向１〜６の順に、風向きの方向は下方向となる。
【００５９】
そして、上述の図２に示されるように、周辺機器４０は、照明装置４１、テレビ４２、およびアロマ発生器４３を含む。周辺機器４０は、周辺機器制御部３４から第２指令を受けて、空気調和機３０の運転モードに応じた動作を行う。
【００６０】
一例として、照明装置４１は、照明光の色および照度を調整可能なシーリングライトである。なお、テレビ４２は、ユーザによってあらかじめ指定された音楽、音声、および映像の少なくとも１種を出力するＡＶ（Audio Visual）機器の一例である。当該ＡＶ機器としては、テレビ４２に替えてラジオまたはノートＰＣを用いてもよい。
【００６１】
また、アロマ発生器４３は、ユーザによってあらかじめ指定された匂い（ユーザが快適と感じる、所定の種類のアロマ）を発生する匂い発生器の一例である。周辺機器４０の各部材の動作の具体例については、後述する。
【００６２】
（睡眠準備から起床時までの空調システム１００の処理の流れ）
空調システム１００では、「睡眠準備」、「入眠時」、「睡眠時」、および「起床時」の４つの段階が考慮されている。図７は、睡眠準備から起床時までの、空調システム１００の処理の流れを例示するシーケンス図である。上述の睡眠準備モードは、睡眠準備の段階を考慮したモードである。他方、上述の睡眠モードは、入眠時から起床時までの段階を考慮したモードである。
【００６３】
そして、図８は、睡眠モードにおける（つまり、入眠時から起床時までの）、空気調和機３０の設定温度（つまり、室内の温度）の時間変化の予定を示すタイムチャートの一例である。なお、睡眠準備モードにおいては、通常運転モード（例：自動運転モード）と概ね同様の温度制御が行われる。このため、睡眠準備モードにおけるタイムチャートについては省略する。睡眠準備モードにおける空調制御は、睡眠モードの開始（後述する入眠制御の開始）に先立ち、ユーザの入眠に適した室内環境を整えるものであればよい。
【００６４】
本実施形態において、図８のタイムチャートは、空調制御部２４によって作成される。睡眠モードにおいて、空調制御部２４がマイコン３１に当該タイムチャートを供給することにより、空気調和機３０は当該タイムチャートに従って動作する。なお、図８のタイムチャートに示される温度および時間の各数値は、単なる一例であり、これらに限定されない。
【００６５】
まず、図８に示される冷房運転の場合について述べる。空気調和機３０は、ユーザの入眠に適した空調制御（入眠制御）の開始時には、設定温度を１℃上げる。入眠制御は、ユーザの手足の血流を増加させ、当該ユーザの深部体温を下げることを目的とした空調制御である。なお、入眠制御は、睡眠モードにおける最初の段階の空調制御である。
【００６６】
ここで、携帯端末１０において、上述の快眠アプリの画面には、睡眠モードを開始させるための「おやすみ」ボタン（上述のボタンＪ２）が表示されているとする。この場合、ユーザがおやすみボタンを押すことで、入眠制御が開始される。この場合、入眠制御の開始時刻は、ユーザがおやすみボタンを押した時刻に一致する。但し、後述の実施形態２において述べるように、携帯端末１０は、睡眠モードを自動的に開始させることもできる。
【００６７】
続いて、入眠制御の開始時から０．５Ｈ（３０分）後に、空気調和機３０は、ユーザの睡眠時に適した室内環境を提供するための空調制御（睡眠中制御）に移行する。睡眠中制御は、ユーザが寝苦しくない室温を保つことを目的とした空調制御である。
【００６８】
睡眠中制御では、空気調和機３０は、０．５Ｈごとに設定温度を１℃ずつ上げる。そして、空気調和機３０は、設定温度が２７℃（冷房標準設定温度）まで上昇すると、当該設定温度を２７℃に保つ。
【００６９】
続いて、起床予定時刻（目覚ましアラームの設定時刻）の１．５Ｈ（１時間半）前になると、空気調和機３０は、ユーザの起床に適した空調制御（起床制御）に移行する。
【００７０】
起床制御では、空気調和機３０は、０．５Ｈごとに設定温度を１℃ずつ下げる。そして、空気調和機３０は、設定温度が２５℃まで下降すると、当該設定温度を２５℃に保つ。起床制御は、ユーザの深部体温を徐々に上げることを目的とした空調制御である。
【００７１】
続いて、図８に示される暖房運転の場合について述べる。なお、暖房運転の場合も、入眠制御、睡眠中制御、および起床制御のそれぞれの目的は、上述の冷房運転の場合と同様である。まず、空気調和機３０は、入眠制御の開始時には、設定温度を１℃下げる。そして、入眠制御の開始時から０．５Ｈ後に、空気調和機３０は、睡眠中制御に移行する。
【００７２】
睡眠中制御では、空気調和機３０は、０．５Ｈごとに設定温度を１℃ずつ下げる。空気調和機３０は、設定温度が１８℃（暖房標準設定温度）まで低下すると、当該設定温度を１８℃に保つ。そして、起床予定時刻の１．５Ｈ前になると、空気調和機３０は、起床制御に移行する。起床制御では、空気調和機３０は、０．５Ｈごとに設定温度を１℃ずつ上げる。そして、空気調和機３０は、設定温度が２１℃まで上昇すると、当該設定温度を２１℃に保つ。
【００７３】
以上のように、図８のタイムチャートは、入眠制御の開始時刻（睡眠モードの開始時刻）と起床予定時刻との両方を考慮して設定されている。つまり、空調制御部２４は、入眠制御の開始時刻と起床予定時刻との両方を用いて、当該タイムチャートを生成している。すなわち、空調制御部２４は、入眠制御の開始時刻と起床予定時刻とを基準として、室内の温度を経時的に変化させるように、空気調和機３０を動作させる。
【００７４】
ところで、従来の空気調和機では、ユーザの入眠開始に相当する時刻（例えば、睡眠モードボタンをユーザが押した時刻、または空気調和機のタイマーオフ時刻をセットした時刻）のみに基づいて、室内の温度を経時的に変化させることが一般的であった。
【００７５】
他方、上述のように、空調システム１００では、空調制御部２４は、睡眠モードが開始されると、当該睡眠モードの開始時刻のみならず、ユーザの起床予定時刻をさらに考慮して、室内の温度を経時的に変化させることができる。このため、従来よりも快適な睡眠環境をユーザに提供することが可能となる。
【００７６】
続いて、図７を再び参照し、睡眠準備から起床時までの各段階における、空調システム１００の各部の処理の流れについて述べる。図７において、Ｓ１〜Ｓ８は、睡眠準備時（睡眠準備モード）における処理である。また、Ｓ１１〜Ｓ３９は、入眠時から起床時までの各段階（睡眠モード）における処理である。より具体的には、Ｓ１１〜Ｓ１７は、入眠時の処理であり、Ｓ２１〜Ｓ２３は睡眠時の処理であり、Ｓ３１〜Ｓ３９は起床時の処理である。
【００７７】
（睡眠準備時の処理）
はじめに、Ｓ１〜Ｓ８について説明する。一例として、上述の図４に示されるように、携帯端末１０における快眠アプリの画面には、睡眠準備モードを開始させるための「おやすみ準備」ボタン（上述のボタンＪ１）が表示されているとする。
【００７８】
まず、携帯端末１０において、入力部１１ｂは、ユーザによるおやすみ準備ボタンの押下を、ユーザの操作として受け付ける（Ｓ１）。そして、モード設定部１４は、空調制御部２４（クラウドサーバ２０）に、空気調和機３０を睡眠準備モードに切り替えるためのモード切替指令を与える（Ｓ２）。
【００７９】
なお、睡眠準備モードに切り替えるとは、空気調和機３０が睡眠準備モード以外の運転モード（例えば通常運転モード）で既に動作している場合に、動作中の運転モードから睡眠準備モードに切り替えることを意味する。
【００８０】
しかし、これに限らず、モード切替指令に応じて、空気調和機３０が停止状態（携帯端末１０およびリモコン等の端末装置からの運転に関する指示を待機している状態）から、睡眠準備モードに立ち上がることもできる。
【００８１】
そして、空調制御部２４は、上記モード切替指令を受けると、第１指令を空気調和機３０に与え、当該空気調和機３０を睡眠準備モードで動作させる（Ｓ３）。空気調和機３０は、上述の第１指令を受けて、睡眠準備モードでの空調制御を行う（Ｓ４）。
【００８２】
また、空気調和機３０は、睡眠準備モードにおいて、赤外線センサ３５を動作させ、寝室にユーザが存在しているか否かを確認する。そして、空気調和機３０は、赤外線センサ３５の検出結果（室内（例：寝室）にユーザが存在しているか否かを示す情報）を、空調制御部２４に与える（Ｓ５）。
【００８３】
そして、空調制御部２４は、赤外線センサ３５の検出結果に応じて、第１指令の内容を変更する。これにより、室内にユーザが存在している場合としていない場合とで、睡眠準備モードにおける空気調和機３０の動作を切り替えることが可能となる。
【００８４】
例えば、空調制御部２４は、室内にユーザが存在している場合には、当該ユーザが存在していない場合に比べて、室内の温度を緩やかに変化させるように、空気調和機３０を動作させてよい。
【００８５】
一例として、冷房運転の場合、室内の温度を急速に下げると、ユーザが寒さを感じてしまい、ユーザによって不快感を与える可能性がある。そこで、室内にユーザが存在している場合には、室内の温度を急速に下げないようにすることで、ユーザに不快感を与えないように、当該ユーザの入眠に適した室内環境を整えることができる。
【００８６】
他方、空調制御部２４は、室内にユーザが存在していない場合には、当該ユーザが存在している場合に比べて、室内の温度を急速に変化させるように、空気調和機３０を動作させてよい。室内にユーザが存在していない場合には、ユーザの上記不快感を考慮しなくてもよいので、室内の温度を急速に変化させることで、ユーザの入眠に適した室内環境をより速やかに整えることができる。
【００８７】
このように、赤外線センサ３５の検出結果を応じて空調制御を行えば（つまり、第１指令の内容を変更すれば）、室内におけるユーザの存在の有無を考慮して、当該ユーザの入眠に適した室内環境を整えることができる。このため、より快適な睡眠環境をユーザに提供できる。
【００８８】
また、空調制御部２４は、室内にユーザが存在している場合としていない場合とで、空気調和機３０から室内へと送出される風の向きを変更してもよい。一例として、空調制御部２４は、室内にユーザが存在している場合には、上述の図６の風向１によって、空気調和機３０に送風を行わせてもよい。風向１での送風によれば、風向２〜６に比べて、ユーザに風が直接当たりにくい。このため、例えば冷房運転の場合に、当該ユーザが感じる寒さを低減できる。
【００８９】
他方、空調制御部２４は、室内にユーザが存在していない場合には、例えば風向２〜６のいずれかによって、空気調和機３０に送風を行わせてもよい。風向２〜６での送風によれば、風向１に比べて、室内全体に冷風がより速やかに行き渡るので、室内の温度をより急速に変化させることができる。また、風向２〜６での送風によって、寝具をより直接的に冷やすこともできる。このため、ユーザの入眠に適した室内環境をより速やかに整えることができる。
【００９０】
また、空調制御部２４は、室内にユーザが存在している場合としていない場合とで、空気調和機３０から室内へと送出される風の量（風量）を変更させてもよい。一例として、空調制御部２４は、室内にユーザが存在していない場合には、室内にユーザが存在している場合に比べて、風量を増加させてもよい。
【００９１】
一般的に、風量が過大となると、送風時の騒音が大きくなる。このため、室内にユーザが存在している場合には、当該騒音によって当該ユーザが聴覚的に不快感を覚えないように、風量を過大としないことが好ましい。しかしながら、室内にユーザが存在していない場合には、騒音がユーザに及ぼす影響を考慮しなくてよい。この場合、風量を増加させることで、室内の温度をより急速に変化させることができる。このため、ユーザの入眠に適した室内環境をより速やかに整えることができる。
【００９２】
また、空気調和機３０にＰＣＩ（Plasma Cluster Ion，プラズマクラスター（登録商標）イオン）発生装置が設けられている場合には、空気調和機３０は、ＰＣＩを含んだ風を送出することができる。空調制御部２４は、室内にユーザが存在している場合としていない場合とで、空気調和機３０から室内へと送出される風に含まれるＰＣＩの量を変更してもよい。
【００９３】
例えば、室内にユーザが存在している場合には、室内にユーザが存在していない場合に比べて、風に含まれるＰＣＩの量を増加させてもよい。これにより、清浄な空気環境を、ユーザにより速やかに提供できる。加えて、赤外線センサ３５の検出結果に基づいて、ユーザが位置している方向を特定し、当該方向に向けて送風を行ってもよい。
【００９４】
なお、ＰＣＩは、空気環境を清浄化する帯電粒子の一例である。当該帯電粒子の種類は、空気環境を清浄化する作用をもたらすものであれば、ＰＣＩに限定されない。このため、空気調和機３０には、ＰＣＩ発生装置に替えて、他の種類の帯電粒子発生装置が設けられてもよい。
【００９５】
そして、Ｓ５の後、空調制御部２４は、第１指令に応じた第２指令を、周辺機器制御部３４から周辺機器４０へと供給するように、当該周辺機器制御部３４へ指令を与える（Ｓ６）。具体的には、空調制御部２４は、第１指令の内容に応じて、周辺機器を時間の進行に応じて制御するためのタイムチャートを作成し、当該タイムチャートを周辺機器制御部３４に与える。そして、周辺機器制御部３４は、当該タイムチャートに基づいて、周辺機器４０を動作させる。つまり、周辺機器制御部３４は、第１指令に応じた第２指令を、周辺機器４０に与える（Ｓ７）。なお、空調制御部２４は、第１指令の内容に応じた上記タイムチャートを、赤外線センサ３５の検出結果に応じて変更してもよい。
【００９６】
その結果、周辺機器４０は、第２指令に基づく動作を行う（Ｓ８）。一例として、Ｓ８における第２指令には、照明装置４１に、比較的照度が低い暖色（例：暖房の場合）または寒色（例：冷房の場合）の照明光を出力させる指令が含まれてよい。つまり、当該第２指令には、入眠前のユーザに対して、視覚的な観点から入眠に適した室内環境を提供するように、照明光の色および照度を制御する指令が含まれていてよい。
【００９７】
また、当該第２指令には、テレビ４２に所定の音楽または音声（例：安眠用の環境音）を出力させる指令が含まれてよい。つまり、第２指令には、入眠前のユーザに対して、聴覚的な観点から入眠に適した室内環境を提供するように、テレビ４２の音声出力を制御する指令が含まれていてよい。
【００９８】
また、当該第２指令には、アロマ発生器４３に、複数種類のアロマの中から所定のアロマ（例：特定の香水の香り、入眠に効果のある香り）を選択的に発生させる指令が含まれてよい。つまり、第２指令には、入眠前のユーザに対して、嗅覚的な観点から入眠に適した室内環境を提供するように、アロマ発生器４３のアロマ発生を制御する指令が含まれていてよい。
【００９９】
以上のように、睡眠準備モードでは、空気調和機３０から周辺機器４０に第２指令が与えられることにより、ユーザの視覚的、聴覚的、および嗅覚的な観点からの快適性をさらに考慮して、入眠に適した室内環境を提供できる。
【０１００】
なお、周辺機器制御部３４は、空調制御部２４から、赤外線センサ３５の検出結果を取得してもよい。そして、周辺機器制御部３４は、室内にユーザが存在している場合と存在していない場合とで、第２指令の内容を変化させてもよい。つまり、周辺機器制御部３４は、室内にユーザが存在している場合と存在していない場合とで、周辺機器の動作を変更させてもよい。
【０１０１】
例えば、周辺機器制御部３４は、室内にユーザが存在していない場合には、照明装置４１およびテレビ４２をＯＦＦ状態にしてもよい。室内にユーザが存在していない場合には、ユーザの視覚面および聴覚面での快適性を考慮しなくてもよいためである。
【０１０２】
なお、第１動作指令に、第２動作指令の内容を変更する指令を含めることもできる。この場合にも、室内にユーザが存在している場合と存在していない場合とで、周辺機器４０の動作を変更することができる。
【０１０３】
（入眠時の処理）
続いて、Ｓ１１〜Ｓ１７について説明する。なお、上述の図４に示されるように、快眠アプリの画面には、睡眠モードを開始させるための「おやすみボタン」（上述のボタンＪ２）が表示されているとする。
【０１０４】
まず、携帯端末１０において、入力部１１ｂは、ユーザによるおやすみボタンの押下を、ユーザの操作として受け付ける（Ｓ１１）。そして、モード設定部１４は、空調制御部２４にモード切替指令を与え、空気調和機３０を睡眠モードに切り替える（Ｓ１２）。
【０１０５】
そして、空調制御部２４は、モード設定部１４から上記モード切替指令を受けると、第１指令を空気調和機３０に与え、当該空気調和機３０を睡眠モードで動作させる（Ｓ１３）。空気調和機３０は、当該第１指令を受けて、上述の入眠制御を開始する（Ｓ１４）。
【０１０６】
なお、睡眠モードでは、空気調和機３０の運転状態を示す運転ランプ（不図示）の照度を、暗室においてユーザが視認可能な最低限度の値まで低下させることが好ましい。また、空気調和機３０のその他のランプについては、ＯＦＦ状態とすることが好ましい。なお、空気調和機３０等に音声コミュニケーション用のスピーカ（不図示）が設けられている場合は、空気調和機３０等に発声を行わせないようにする、または、当該スピーカをＯＦＦ状態とすることが好ましい。
【０１０７】
そして、空調制御部２４は、第１指令に応じた第２指令を、周辺機器制御部３４から周辺機器４０へと供給するように、当該周辺機器制御部３４へ指令を与える（Ｓ１５）。周辺機器制御部３４が、第２指令を周辺機器４０に与えることにより（Ｓ１６）、周辺機器４０は、当該第２指令に基づく動作を行う（Ｓ１７）。
【０１０８】
一例として、Ｓ１６における第２指令には、照明装置４１およびテレビ４２をＯＦＦ状態にする指令が含まれてよい。あるいは、当該第２指令には、子守唄のようなヒーリング音楽またはユーザが選択した好みの音楽をテレビ４２に出力させる指令が含まれてよい。照明光および音響をＯＦＦにしたり、音楽を出力したりすることにより、視覚的および聴覚的な観点から、ユーザの睡眠時に適した室内環境が提供される。
【０１０９】
（睡眠時の処理）
続いて、Ｓ２１〜Ｓ２３について説明する。まず、携帯端末１０において、生体センサ１６（例：加速度センサ）は、ユーザの生体情報（例：ユーザの加速度）を取得する。そして、生体センサ１６は、当該生体情報を、クラウドサーバ２０の制御部２１に与える（Ｓ２１）。
【０１１０】
上述のように、ユーザがノンレム睡眠状態となった場合には、ユーザの加速度は小さくなる。このため、ユーザの加速度の顕著な変化が、所定の時間（例：０．５Ｈ）に亘って生じていない場合には、ユーザのノンレム睡眠状態が維持されていると考えることができる。従って、制御部２１は、生体情報に基づいて、当該ノンレム睡眠状態が維持されていることを確認できる。
【０１１１】
そして、空調制御部２４は、現在の時刻と上述の起床予定時刻とを用いて、上述の図８のタイムチャートを、例えば０．２５Ｈ（１５分）ごとに更新する。そして、空調制御部２４は、タイムチャートを更新するごとに、当該タイムチャートを、空気調和機３０に与える（Ｓ２２）。これにより、空気調和機３０は、最新のタイムチャートに応じた空調制御（睡眠中制御）を行うことができる（Ｓ２３）。
【０１１２】
このように、睡眠時にタイムチャートを更新することにより、ユーザの睡眠時に適した室内環境をより確実に維持することが可能となる。
【０１１３】
（起床時の処理）
続いて、Ｓ３１〜Ｓ３９について説明する。まず、起床予定時刻の１．５Ｈ前になると、空調制御部２４は、空気調和機３０に第１指令を与え、空気調和機３０に起床制御を行わせる（Ｓ３１）。
【０１１４】
また、空調制御部２４は、当該第１指令に応じた第２指令を、周辺機器制御部３４から周辺機器４０へと供給するように、当該周辺機器制御部３４へ指令を与える（Ｓ３２）。続いて、周辺機器制御部３４は、第２指令を周辺機器４０に与え（Ｓ３３）、その結果、周辺機器４０は、第２指令に基づく動作を行う（Ｓ３４）。
【０１１５】
一例として、Ｓ３３における第２指令には、起床時のユーザの目覚めを促進するために、照明装置４１をＯＮ状態とし、比較的照度が高い照明光を出力させる指令が含まれてよい。また、当該第２指令には、起床時のユーザの目覚めを促進するために、テレビ４２をＯＮ状態とし、所定の音楽または音声を出力させる指令が含まれてよい。なお、当該第２指令は、これらの照明光または音楽等の出力を、徐々に大きくし、起床予定時刻に最大にする指令であってもよい。
【０１１６】
また、当該第２指令には、アロマ発生器４３をＯＦＦ状態とする指令が含まれていてもよい。あるいは、当該第２指令には、起床時のユーザの目覚めを促進するために、入眠時とは別のアロマ（例：眠気覚ましに効果のある香り）を発生させる指令が含まれていてもよい。
【０１１７】
そして、起床予定時刻が到来すると、制御部１２は、携帯端末１０のスピーカ（不図示）を動作させ、目覚ましアラームを鳴らす（Ｓ３５）。ここで、上述の快眠アプリの画面には、目覚ましアラームを停止させるためのボタンとして、「起床」ボタン（図４では不図示）が表示されているとする。
【０１１８】
入力部１１ｂは、ユーザによる起床ボタンの押下を、ユーザの操作として受け付ける（Ｓ３６）。その結果、モード設定部１４は、目覚ましアラームを停止させる（Ｓ３７）。また、モード設定部１４は、空調制御部２４にモード切替指令を与え、空気調和機３０に、睡眠モードでの動作を終了させる（Ｓ３８）。
【０１１９】
そして、空調制御部２４は、モード設定部１４から上記モード切替指令を受けると、空気調和機３０を、上述の通常動作モード（例：自動運転モード）で動作させる（Ｓ３９）。これにより、睡眠準備時から起床時までに亘る空調制御が終了する。
【０１２０】
また、上述の図４に示されるように、快眠アプリの画面には、睡眠準備モードまたは睡眠モードを途中で終了させるための「停止」ボタン（上述のボタンＪ４）がさらに表示されてもよい。ユーザが停止ボタンを押すと、当該ユーザが起床ボタンを押す前であっても、モード設定部１４は、空気調和機３０を通常動作モードに切り替える指令を、空調制御部２４に与える。
【０１２１】
（空調システム１００の効果）
以上のように、空調システム１００では、携帯端末１０のモード設定部１４が、空気調和機３０の運転モードを所定のモード（例：睡眠準備モードまたは睡眠モード）に切り替えた場合、（ｉ）クラウドサーバ２０の空調制御部２４から、空気調和機３０に第１指令が与えられるとともに、（ｉｉ）空気調和機３０の周辺機器制御部３４から、当該第１指令に応じた第２指令が、周辺機器４０に与えられる。
【０１２２】
当該構成によれば、クラウドサーバ２０は、（ｉ）空気調和機３０を直接的に制御し、ユーザが選択した動作モード（例：睡眠準備モードまたは睡眠モード）に応じた動作を行わせるととともに、（ｉｉ）空気調和機３０を介して周辺機器４０を間接的に制御し、周辺機器４０に、上記動作モードに応じた動作を行わせることができる。
【０１２３】
つまり、携帯端末１０は、クラウドサーバ２０に指令を与え、当該クラウドサーバ２０を、空気調和機３０および周辺機器４０を制御する中心的な制御部として動作させることができる。
【０１２４】
ところで、上述のように、一般的な空気調和機に設けられる制御部は、処理性能が比較的低いマイコン（例：マイコン３１）である場合が多い。このため、当該マイコンによって空気調和機自身および周辺機器に対する複雑な制御を行うことは容易ではなかった。
【０１２５】
他方、空調システム１００によれば、マイコン３１よりも十分に高い処理性能を有する制御部２１（クラウドサーバ２０のプロセッサ）によって、空気調和機３０および周辺機器４０に対する複雑な制御を行うことが容易となる。それゆえ、空気調和機３０および周辺機器４０に、ユーザが選択した動作モード（例：睡眠準備モードまたは睡眠モード）に応じた多様な動作を行わせることができるので、従来よりも快適な睡眠環境をユーザに提供することが可能となる。
【０１２６】
また、ユーザが寝室にいない場合（例：外出している場合、寝室以外の部屋にいる場合）であっても、携帯端末１０によって、クラウドサーバ２０を介して、空気調和機３０を睡眠準備モードで動作させることができる。このため、ユーザが寝室に入る前から、睡眠準備モードによって、入眠に適した室内環境をあらかじめ準備することもできる。
【０１２７】
なお、本実施形態では、空調システム１００の構成要素として、携帯端末１０が含まれる場合を例示したが、携帯端末１０は空調システム１００の必須の構成要素ではない。本発明の一態様に係る空調システムは、クラウドサーバ２０、空気調和機３０、および周辺機器４０を含んでいればよい。そして、携帯端末１０は、当該空調システムと連携可能であればよい。当該構成によっても、上述の空調システム１００と同様の効果を奏する。
【０１２８】
また、携帯端末１０のモード設定部１４は、運転モード設定画面（快眠アプリの画面）を表示部１１ａに表示するときに、運転モードを設定するための各種のボタンを表示することが好ましい。当該ボタンを表示させることにより、運転モードの設定を行うための操作を、ユーザに容易に行わせることができる。
【０１２９】
〔変形例〕
なお、上述の実施形態１では、１つのクラウドサーバ２０を用いる例を説明したが、当該クラウドサーバ２０の有する各機能が、複数のサーバにて実現されていてもよい。そして、複数のサーバを適用する場合においては、各サーバは、同じ事業者によって管理されていてもよいし、異なる事業者によって管理されていてもよい。この点については、後述する各実施形態においても同様である。
【０１３０】
〔実施形態２〕
本発明の実施形態について、図９に基づいて説明すれば、以下の通りである。なお、説明の便宜上、上記実施形態にて説明した部材と同じ機能を有する部材については、同じ符号を付記し、その説明を省略する。
【０１３１】
（空調システム２００）
図９は、本実施形態の空調システム２００の要部の構成を示す機能ブロック図である。図９に示されるように、空調システム２００は、上述の実施形態１の空調システム１００において、携帯端末１０の制御部１２に学習部１８（モード設定部）を付加したものである。ここで、実施形態１の各部材との区別のため、本実施形態の携帯端末を、携帯端末１０ａと称する。また、当該携帯端末１０ａの制御部を、制御部１２ａと称する。
【０１３２】
なお、本実施形態では、説明の便宜上、学習部１８とモード設定部１４とを別体の機能部として例示しているが、モード設定部１４に学習部１８の機能を併有させてもよい。つまり、モード設定部１４と学習部１８とは、一体の機能部として設けられてもよい。
【０１３３】
学習部１８は、ユーザが携帯端末１０ａに対して所定の操作（入力操作）を行った時刻（操作時刻）を、自動的に学習する機能（学習機能）を有する。より具体的には、学習部１８は、操作時刻の履歴に対して統計処理を行い、当該操作時刻の最適値を算出（設定）する機能を有する。
【０１３４】
なお、学習部１８の学習機能は、公知の自動学習アルゴリズムによって実装されてよい。また、日々の操作時刻は、学習データベースとして記憶部１７に格納されてよい。
【０１３５】
（自動学習の第１の例）
以下、学習部１８の動作の一例について述べる。以降、睡眠準備モードを開始させるための、ユーザの携帯端末１０ａに対する操作を、第１操作と称する。この第１操作は、例えば、ユーザが上述の図４の「おやすみ準備」ボタン（ボタンＪ１）を押す操作である。また、第１操作が施された時刻を、第１操作時刻と称する。
【０１３６】
一例として、学習部１８は、日ごとの第１操作時刻の履歴に対する統計処理を行うことにより、空気調和機３０の運転モードを睡眠準備モードに切り替える時刻の最適値（以降、第１時刻と称する）を設定してもよい。
【０１３７】
例えば、学習部１８は、学習データベースに記録された、本日よりも前の各日付における第１操作時刻を取得し、取得した全ての第１操作時刻の平均値（平均値Ａ１）を算出する。次に、学習部１８は、取得した全ての第１操作時刻から、平均値Ａ１から一定時間（例：０．５Ｈ）以内の第１操作時刻のみを抽出する。次に、学習部１８は、抽出した全ての第１操作時刻の平均値（平均値Ａ２）を算出する。そして、学習部１８は、平均値Ａ２を第１時刻として設定し、当該第１時刻をモード設定部１４に与える。
【０１３８】
この場合、ユーザが第１操作を行わなくとも、モード設定部１４は、学習部１８によって設定された第１時刻に、空気調和機３０の動作モードを睡眠準備モードへと切り替えることができる。従って、ユーザの第１操作が不要となるので、当該ユーザの利便性を向上させることが可能となる。
【０１３９】
なお、モード設定部１４は、上述の第１時刻に睡眠準備モードを自動的に立ち上げる動作を、ユーザによって有効または無効にさせるための選択ボタンを、表示部１１ａに表示させてもよい。あるいは、モード設定部１４は、ユーザがおやすみ準備ボタンを押下すると、睡眠準備モードを自動的に立ち上げる動作を無効にしてもよい。
【０１４０】
（自動学習の第２の例）
また、学習部１８の動作の別の例について述べる。以降、睡眠モードを開始させるための、ユーザの携帯端末１０ａに対する操作を、第２操作と称する。この第２操作は、例えば、ユーザが上述の図４の「おやすみボタン」（ボタンＪ２）を押す操作である。また、第２操作が施された時刻を、第２操作時刻と称する。
【０１４１】
学習部１８は、日々の第２操作時刻の履歴に対する統計処理を行うことにより、空気調和機３０の運転モードを睡眠モードに切り替える時刻の最適値（以降、第２時刻と称する）を設定してもよい。なお、第２時刻の設定方法の例は、上述の第１時刻の場合と同様であるため、説明については省略する。
【０１４２】
この場合、ユーザが第２操作を行わなくとも、モード設定部１４は、学習部１８によって設定された第２時刻に、空気調和機３０の動作モードを睡眠モードへと切り替えることができる。従って、ユーザの第２操作についても不要となるので、当該ユーザの利便性をさらに向上させることが可能となる。
【０１４３】
（自動学習の第３の例）
また、上述の第１時刻をより適切に設定するための工夫について述べる。学習部１８は、第１操作時刻が第１時刻よりも早い場合には、第１操作時刻が第１時刻よりも遅い場合に比べて、第１操作時刻の統計処理上の重みを大きくしてもよい。その理由は、以下の通りである。
【０１４４】
一般的に、ユーザが通常（現在設定されている第１時刻）よりも早い時刻に第１操作を行った場合には、これまでよりも早い時間帯に、入眠に適した室内環境を整えることを要望していると考えられる。それにもかかわらず、第１時刻に、入眠に適した室内環境の提供を開始したのでは、ユーザの上記要望に応えられないおそれがある。
【０１４５】
従って、ユーザの上記要望を実現するためには、第１時刻をより早い時刻に変更することが好ましいと言える。一方、第１操作時刻が第１時刻よりも遅い場合には、第１時刻に、入眠に適した室内環境の提供が開始されたとしても、ユーザの上記要望を満たす観点では支障が生じない。
【０１４６】
そこで、通常よりも早い第１操作時刻については、統計処理上の重みを大きくすれば、第１時刻をより早い時刻に変更する確率を高めることができる。それゆえ、第１操作時刻の変動に対して支障を来たすことなく、入眠に適した室内環境を提供することが可能となる。
【０１４７】
一例として、第１操作時刻に対する統計処理上の重みの変更は、以下の通り行われてよい。例えば、通常（現在設定されている第１時刻）から一定時間（例えば０．５Ｈ）よりも早い第１操作時刻を、第１操作時刻Ｘと称する。
【０１４８】
ここで、第１操作時刻Ｘが１回のみ発生した場合には、当該第１操作時刻Ｘを、第１操作時刻の平均値に含めない（無視する）。他方、第１操作時刻Ｘが２回以上発生した場合には、２回目以降に発生した第１操作時刻Ｘを、第１操作時刻の平均に含める。
【０１４９】
これに対して、通常から一定時間（例えば０．５Ｈ）よりも遅い第１操作時刻を、第１操作時刻Ｙと称する。ここで、第１操作時刻Ｙが４回以上発生するまでは、当該第１操作時刻Ｙを、第１操作時刻の平均値に含めない。以上の計算方法を採用すれば、第１操作時刻Ｘは、第１操作時刻Ｙに比べて、統計処理上の重みが大きくなる。
【０１５０】
（補足事項）
なお、一部の操作時刻については、必ずしも学習部１８に学習（統計処理）を行わせる必要がない。以下、その一例について述べる。以降、睡眠モードを終了させるための、ユーザの携帯端末１０ａに対する操作を、第３操作と称する。この第３操作は、例えば、ユーザが上述の「起床ボタン」を押す操作である。また、第３操作が施された時刻を、第３操作時刻と称する。
【０１５１】
この第３操作時刻については、学習部１８に学習を行わせる必要はない。起床時刻（ユーザが目覚ましアラームを停止させる時刻）は、ユーザが随意に決定すべきものであるためである。つまり、学習によって自動的に設定された時刻に、ユーザを意に反して起床させる必要はないためである。
【０１５２】
〔実施形態３〕
以下、制御部２１および学習部１８の動作のバリエーションについて、２通りの例を説明する。
【０１５３】
（第１の例）
ところで、上述のように、制御部２１は、生体情報に基づいて、ユーザの睡眠状態を確認できる。そこで、当該生体情報に基づいて、ユーザの入眠時刻および起床時刻を算出（推定）する機能を、制御部２１に付加してもよい。以下、制御部２１が算出したユーザの入眠時刻および起床時刻を、入眠推定時刻および起床推定時刻と称する。
【０１５４】
学習部１８は、入眠推定時刻および起床推定時刻に対する学習をさらに行ってもよい。これにより、ユーザの実際の睡眠状態に応じた空調制御が可能となるため、当該ユーザにとってさらに快適な睡眠環境を提供することができる。
【０１５５】
（第２の例）
また、寝室において複数のユーザ（例：夫婦）が共に就寝する場合を考える。一般的に、人が快適と感じる空調環境には個人差があるため、複数のユーザにとって快適な睡眠環境を提供するには、このような個人差を考慮することが好ましい。
【０１５６】
そこで、各ユーザの睡眠状態を評価する機能を制御部２１にさらに付加し、学習部１８に当該評価結果に基づく学習をさらに行わせてもよい。一例として、当該評価結果において、夫が室温の高さによって寝苦しさを感じていることが示されている場合を考える。
【０１５７】
例えば、学習部１８は、上記評価結果に基づく学習結果を用いて、複数のユーザの睡眠中に、夫の方のみに冷風を向けるように、空気調和機３０の風向きを変更するタイミングを特定してよい。なお、夫の寝苦しさの評価を、学習による評価結果によるのではなく、生体センサが頻繁な寝返りを検出したことに基づいて随時行ってもよい。これにより、夫婦ともにより快適な空調制御を提供できる。このように、各ユーザの個人差を考慮した空調制御のパターンを、学習結果を用いて設定することで、複数のユーザにとって快適な睡眠環境を提供できる。
【０１５８】
〔ソフトウェアによる実現例〕
空調システム１００・２００の制御ブロック（特に制御部１２・１２ａ、制御部２１、およびマイコン３１）は、集積回路（ＩＣチップ）等に形成された論理回路（ハードウェア）によって実現してもよいし、ＣＰＵ（Central Processing Unit）を用いてソフトウェアによって実現してもよい。
【０１５９】
後者の場合、空調システム１００・２００は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１６０】
〔まとめ〕
本発明の態様１に係る空調システム（１００）は、室内（例：寝室）の空調を行う空気調和機（３０）と、上記室内に設けられた周辺機器（４０）と、端末装置（携帯端末１０）と、通信ネットワーク（９０）を介して、上記空気調和機および上記端末装置に接続されたサーバ装置（クラウドサーバ２０）と、を備えた空調システムであって、上記サーバ装置は、上記空気調和機を制御する空調制御部（２４）を備えており、上記空気調和機は、上記周辺機器を制御する周辺機器制御部（３４）を備えており、上記端末装置は、上記空気調和機の運転モードを切り替えるモード設定部（１４）を備えており、上記運転モードには、ユーザの入眠に適した室内環境を提供するモードである睡眠準備モードが含まれており、上記モード設定部が、上記運転モードを上記睡眠準備モードに切り替えた場合、上記空調制御部は、上記空気調和機を上記睡眠準備モードで動作させる第１指令を上記空気調和機に与え、上記周辺機器制御部は、上記第１指令に応じた第２指令を、上記周辺機器に与える。
【０１６１】
上記の構成によれば、端末装置のモード設定部が、空気調和機の運転モードを睡眠準備モードに切り替えた場合、サーバ装置の空調制御部から、空気調和機に第１指令が与えられる。加えて、空気調和機の周辺機器制御部からは、第１指令に応じた第２指令が、周辺機器に与えられる。
【０１６２】
ところで、上述のように、一般的な空気調和機に設けられる制御部は、マイコン（マイクロコンピュータ）である場合が多い。これに対し、サーバ装置の制御部（プロセッサ）は、マイコンよりも処理性能が比較的高い。
【０１６３】
従って、上述の構成によれば、サーバ装置は、マイコンよりも高い処理性能を有する制御部によって、（ｉ）空気調和機を直接的に制御して睡眠準備モードに応じた動作を行わせるととともに、（ｉｉ）当該空気調和機を介して周辺機器を間接的に制御し、当該周辺機器に睡眠準備モードに応じた動作を行わせることができる。
【０１６４】
すなわち、サーバ装置の制御部によって、空気調和機および周辺機器に対する複雑な制御を行うことが容易となる。このため、空気調和機および周辺機器に、睡眠準備モードに応じた多様な動作を行わせることができるので、従来よりも快適な睡眠環境をユーザに提供することが可能となる。
【０１６５】
また、ユーザが上記室内にいない場合（例：外出している場合、寝室以外の部屋にいる場合）であっても、端末装置によって、サーバ装置を介して、空気調和機を睡眠準備モードで動作させることができる。このため、ユーザが寝室に入る前から、睡眠準備モードによって、入眠に適した室内環境をあらかじめ準備することもできる。
【０１６６】
本発明の態様２に係る空調システムは、上記態様１において、上記空気調和機が、上記室内に上記ユーザが存在していることを検出するセンサ（赤外線センサ３５）をさらに備えており、上記睡眠準備モードにおいて、上記空調制御部は、上記センサの検出結果に応じて、上記第１指令の内容を変更してもよい。
【０１６７】
上記の構成によれば、室内にユーザが存在している場合と存在していない場合とで、睡眠準備モードにおける空気調和機の動作を変更できる。例えば、室内にユーザが存在していない場合には、ユーザが存在している場合に比べて、室内の温度を急激に変化させることができる。
【０１６８】
また、周辺機器制御部は、第１動作指令に応じた第２動作指令を周辺機器に与えるので、周辺機器に第１動作指令の内容変更に応じた動作を行わせることができる。それゆえ、さらに快適な睡眠環境をユーザに提供することも可能となる。
【０１６９】
このように、ユーザの存在の有無を考慮して、入眠のための環境を整えることができるので、より快適な睡眠環境をユーザに提供することが可能となる。
【０１７０】
なお、第１動作指令に、第２動作指令の内容を変更する指令を含めることもできる。この場合にも、室内にユーザが存在している場合と存在していない場合とで、周辺機器の動作を変更することができる。
【０１７１】
本発明の態様３に係る空調システムは、上記態様１または２において、上記運転モードには、上記ユーザの睡眠時に適した室内環境を提供するモードである睡眠モードがさらに含まれており、上記モード設定部が、上記運転モードを上記睡眠モードに切り替えた場合、上記空調制御部は、上記睡眠モードの開始時刻と、あらかじめ設定された上記ユーザの起床予定時刻とを基準として、当該睡眠モードにおける上記室内の温度を変化させてもよい。
【０１７２】
ところで、上述のように、従来の空気調和機では、ユーザの入眠開始に相当する時刻（例えば、睡眠モードボタンをユーザが押した時刻、または空気調和機のタイマーオフ時刻をセットした時刻）のみに基づいて、室内の温度を経時的に変化させることが一般的であった。他方、上記の構成によれば、睡眠モードが有効になると、睡眠モードの開始時刻のみならず、ユーザの起床予定時刻をさらに考慮して、室内の温度を経時的に変化させることができるので、さらに快適な睡眠環境をユーザに提供することが可能となる。
【０１７３】
本発明の態様４に係る空調システムは、上記態様１から３のいずれか１つにおいて、上記睡眠準備モードを開始させるための、上記ユーザの上記端末装置に対する入力操作を第１操作として、上記モード設定部（学習部１８）は、上記第１操作が施された時刻である第１操作時刻に対する統計処理を行うことにより、上記運転モードを上記睡眠準備モードに切り替える時刻である第１時刻を設定してもよい。
【０１７４】
上記の構成によれば、モード設定部において、例えば日ごとの第１操作時刻の履歴に対する統計処理を行う（換言すれば、第１操作時刻の自動学習）を行うことにより、第１時刻が設定される。従って、ユーザが第１操作を行わなくとも、自動的に睡眠準備モードへの切り替えを行うことが可能となる。それゆえ、ユーザの利便性を向上させることが可能となる。
【０１７５】
本発明の態様５に係る空調システムは、上記態様４において、上記第１操作時刻が上記第１時刻よりも早い場合には、上記モード設定部は、上記第１操作時刻が上記第１時刻よりも遅い場合に比べて、上記第１操作時刻の統計処理上の重みを大きくしてもよい。
【０１７６】
上述のように、一般的に、ユーザが通常よりも早い時刻に第１操作を行った場合には、これまでよりも早い時間帯に、入眠に適した室内環境を整えることを要望していると考えられる。それにもかかわらず、第１時刻に、入眠に適した室内環境の提供を開始したのでは、ユーザの上記要望に応えられないおそれがある。従って、ユーザの上記要望を実現するためには、第１時刻をより早い時刻に変更することが好ましいと言える。一方、第１操作時刻が第１時刻よりも遅い場合には、第１時刻に、入眠に適した室内環境の提供が開始されたとしても、ユーザの上記要望を満たす観点では支障が生じない。
【０１７７】
そこで、上記の構成によれば、通常よりも早い第１操作時刻について、統計処理上の重みを大きくすることにより、第１時刻をより早い時刻に変更する確率を高めることができる。それゆえ、第１操作時刻の変動に対して支障を来たすことなく、入眠に適した室内環境を提供することが可能となる。
【０１７８】
本発明の態様６に係る空調システムは、上記態様１から５のいずれか１つにおいて、上記運転モードには、上記ユーザの睡眠時に適した室内環境を提供するモードである睡眠モードがさらに含まれており、上記睡眠モードを開始させるための、上記ユーザの上記端末装置に対する入力操作を第２操作として、上記モード設定部は、上記第２操作が施された時刻である第２操作時刻に対する統計処理を行うことにより、上記運転モードを上記睡眠モードに切り替える時刻である第２時刻を設定してもよい。
【０１７９】
上記の構成によれば、ユーザが第２操作を行わなくとも、自動的に睡眠モードへの切り替えを行うことが可能となる。それゆえ、ユーザの利便性をさらに向上させることが可能となる。
【０１８０】
本発明の態様７に係る端末装置は、サーバ装置が、室内の空調を行う空気調和機に、所定の運転モードに応じた動作を行わせ、上記空気調和機が、上記室内に設けられた周辺機器の動作を制御するように構成された空調システムと連携する端末装置であって、少なくとも画像を表示する表示部（１１ａ）と、上記空気調和機の上記運転モードを設定するモード設定部と、上記サーバ装置と通信する通信部（１５）とを備え、上記空気調和機の運転モードには、ユーザの入眠に適した室内環境を提供するように、上記空気調和機および上記周辺機器の各動作を設定するモードである睡眠準備モードが含まれており、上記モード設定部は、上記運転モードをユーザが設定するための運転モード設定画面（例：図４に示される快眠アプリの画面）を上記表示部に表示するときに、上記睡眠準備モードを設定するためのボタン（ボタンＪ１）を表示する。
【０１８１】
上記の構成によれば、本発明の一態様に係る空調システムと同様の効果を奏する。また、表示部にボタンが表示されるので、睡眠準備モードの設定を行うための操作をユーザに容易に行わせることができる。
【０１８２】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１８３】
１０，１０ａ  携帯端末（端末装置）
１１ａ  表示部
１４  モード設定部
１５  通信部
１８  学習部（モード設定部）
３５  赤外線センサ（センサ）
２０  クラウドサーバ（サーバ装置）
２４  空調制御部
３０  空気調和機
３４  周辺機器制御部
４０  周辺機器
９０，９０ａ，９０ｂ  通信ネットワーク
１００，２００  空調システム
Ｊ１  ボタン
【図１】
2018035957.tif 000003
【図２】
2018035957.tif 000004
【図３】
2018035957.tif 000005
【図４】
2018035957.tif 000006
【図５】
2018035957.tif 000007
【図６】
2018035957.tif 000008
【図７】
2018035957.tif 000009
【図８】
2018035957.tif 000010
【図９】
2018035957.tif 000011